(57)【特許請求の範囲】
【請求項１】
シングルキャリア方式及びマルチキャリア方式の無線アクセス方式が適用されるユーザ装置であって、
無線アクセス方式を設定する無線アクセス方式設定部と、
該無線アクセス方式設定部により設定された無線アクセス方式がシングルキャリア方式である場合に、変調後のシンボル系列を離散フーリエ変換する離散フーリエ変換部と、
前記無線アクセス方式設定部により設定された無線アクセス方式がマルチキャリア方式である場合に、変調後のシンボル系列を直並列変換する直並列変換部と、
前記離散フーリエ変換部により離散フーリエ変換された変調後のシンボル系列又は、前記直並列変換部により直並列変換された変調後のシンボル系列に対して無線リソースを割り当て、周波数領域の信号を生成する周波数領域信号生成部と、
該周波数領域信号生成部により生成した周波数領域の信号に対して波形整形を行う波形整形フィルタと、
該波形整形フィルタにより波形整形された周波数領域の信号に対して逆高速フーリエ変換を行い、送信信号を生成する送信信号生成部と、
該送信信号生成部により生成された送信信号を無線送信する送信部と
を有し、
前記波形整形フィルタに設定されるロールオフ率は、前記無線アクセス方式設定部により設定された無線アクセス方式がマルチキャリア方式である場合にゼロが設定され、前記無線アクセス方式がシングルキャリア方式である場合に基地局装置がカバーするセルの半径に基づいて設定されることを特徴とするユーザ装置。
【請求項２】
請求項１に記載のユーザ装置において、
前記波形整形フィルタは、前記基地局装置により通知されるロールオフ率に従って、波形整形を行うことを特徴とするユーザ装置。
【請求項３】
請求項１又は２に記載のユーザ装置において、
前記無線アクセス方式設定部は、前記基地局装置から通知された切替信号に従って、無線アクセス方式を設定することを特徴とするユーザ装置。
【請求項４】
請求項３に記載のユーザ装置において、
前記切替信号は、報知チャネルに含まれることを特徴とするユーザ装置。
【請求項５】
請求項３に記載のユーザ装置において、
前記切替信号は、物理下りリンク制御チャネルに含まれることを特徴とするユーザ装置。
【請求項６】
シングルキャリア方式及びマルチキャリア方式の無線アクセス方式が適用されるユーザ装置と通信を行う基地局装置であって、
ユーザ装置が使用する無線アクセス方式を設定する無線アクセス方式設定部と、
該無線アクセス方式設定部により設定された無線アクセス方式に従って、前記ユーザ装置が波形整形を行うためのロールオフ率を設定する波形整形条件設定部と、
前記無線アクセス方式設定部により設定された無線アクセス方式及び前記波形整形条件設定部により設定された波形整形条件を示す情報を無線により通知する通知部と
を有し、
前記波形整形条件設定部は、前記無線アクセス方式設定部により設定された無線アクセス方式がマルチキャリア方式である場合にロールオフ率をゼロに設定し、前記無線アクセス方式がシングルキャリア方式である場合に前記基地局装置がカバーするセルの半径に基づいてロールオフ率を設定することを特徴とする基地局装置。
【請求項７】
請求項６に記載の基地局装置において、
前記無線アクセス方式設定部は、前記基地局装置の近傍に位置する他の基地局装置との間の距離に基づいて、ユーザ装置が使用する無線アクセス方式を決定することを特徴とする基地局装置。
【請求項８】
請求項６に記載の基地局装置において、
前記無線アクセス方式設定部は、前記基地局装置のカバーするセルの構成に基づいて、ユーザ装置が使用する無線アクセス方式を決定することを特徴とする基地局装置。
【請求項９】
請求項８に記載の基地局装置において、
前記セルの構成には、マクロセルと、マイクロセルと、屋内セルと、ホットスポットセルとが含まれることを特徴とする基地局装置。
【請求項１０】
請求項６に記載の基地局装置において、
前記無線アクセス方式設定部は、物理チャネルの種類に応じて、ユーザ装置が使用する無線アクセス方式を設定することを特徴とする基地局装置。
【請求項１１】
請求項６ないし１０のいずれか１項に記載の基地局装置において、
前記通知部は、前記無線アクセス方式設定部により設定された無線アクセス方式及び前記波形整形条件設定部により設定された波形整形条件を示す情報を、報知チャネルにより通知することを特徴とする基地局装置。
【請求項１２】
請求項６に記載の基地局装置において、
前記無線アクセス方式設定部は、ユーザ装置に割り当てる無線リソースに基づいて、該ユーザ装置が使用する無線アクセス方式を設定することを特徴とする基地局装置。
【請求項１３】
請求項６ないし１２のいずれか１項に記載の基地局装置において、
前記無線アクセス方式設定部は、前記ユーザ装置が上りリンクのデータの送信を要求した場合に、該上りリンクに要求されるQoSと、前記ユーザ装置の上りリンクのチャネル品質に基づいて、前記ユーザ装置が使用する無線アクセス方式を設定することを特徴とする基地局装置。
【請求項１４】
請求項６に記載の基地局装置において、
前記波形整形条件設定部は、前記無線アクセス方式設定部により設定された無線アクセス方式がシングルキャリア方式である場合に、該ユーザ装置に使用させる伝送フォーマットに基づいてロールオフ率を設定することを特徴とする基地局装置。
【請求項１５】
請求項６に記載の基地局装置において、
前記通知部は、前記無線アクセス方式設定部により設定された無線アクセス方式及び前記波形整形条件設定部により設定された波形整形条件を示す情報を、物理下りリンク制御チャネルにより通知することを特徴とする基地局装置。
【請求項１６】
シングルキャリア方式及びマルチキャリア方式の無線アクセス方式が適用されるユーザ装置と、該ユーザ装置と無線通信を行う基地局装置とを有する無線通信システムにおける通信制御方法であって、
基地局装置が、ユーザ装置が使用する無線アクセス方式を設定するステップと、
前記基地局装置が、前記無線アクセス方式を設定するステップにより設定された無線アクセス方式に従って、前記ユーザ装置が波形整形を行うためのロールオフ率を設定するステップと、
前記基地局装置が、前記無線アクセス方式を設定するステップにより設定された無線アクセス方式及び前記波形整形条件を設定するステップにより設定された波形整形条件を示す情報を無線により通知するステップと、
前記ユーザ装置が、前記基地局装置により通知された無線アクセス方式に従って、無線アクセス方式を設定するステップと、
前記ユーザ装置が、前記無線アクセス方式を設定するステップにより設定した無線アクセス方式に応じて、変調後のシンボル系列の離散フーリエ変換又は変調後のシンボル系列の直並列変換を行う変換ステップと、
前記ユーザ装置が、前記変換ステップにより離散フーリエ変換された変調後のシンボル系列又は、前記直並列変換された変調後のシンボル系列に対して無線リソースを割り当て、周波数領域の信号を生成するステップと、
前記ユーザ装置が、前記基地局装置により通知された波形整形条件を示す情報に従って、前記周波数領域の信号を生成するステップにより生成した周波数領域の信号に対して波形整形を行うステップと、
前記ユーザ装置が、前記波形整形を行うステップにより波形整形が行われた周波数領域の信号に対して逆高速フーリエ変換を行い、送信信号を生成するステップと、
前記ユーザ装置が、前記送信信号を生成するステップにより生成した送信信号を無線送信するステップと
を有し、
前記ロールオフ率を設定するステップでは、前記無線アクセス方式を設定するステップより設定された無線アクセス方式がマルチキャリア方式である場合にロールオフ率をゼロに設定し、前記無線アクセス方式がシングルキャリア方式である場合に、前記基地局装置がカバーするセルの半径に基づいてロールオフ率を設定することを特徴とする通信制御方法。
【発明の詳細な説明】
【技術分野】
【０００１】
本発明は、無線通信システムに関し、特にユーザ装置及び基地局装置並びに通信制御方法に関する。
【背景技術】
【０００２】
W-CDMA（Wideband  Code  Division  Multiple  Access）やHSPA(High  Speed  Packet  Access)の後継となる通信方式、すなわちEvolved  UTRA  and  UTRAN（別名:  LTE(Long  Term  Evolution)，或いは，Super  3G）が、W-CDMAの標準化団体3GPP(3rd  Generation  Partnership  Project)により議論されている。例えば、E-UTRAでは、下りリンクについてはOFDMA(Orthogonal  Frequency  Division  Multiple Access)、上りリンクについてはSC-FDMA(Single-Carrier  Frequency  Division  Multiple  Access)が採用されている。
【０００３】
OFDMAは、周波数帯域を複数の狭い周波数帯域（サブキャリア）に分割し、各周波数帯上にデータを載せて伝送を行う方式である。OFDMAは、サブキャリアを周波数上に、一部重なりあいながらも互いに干渉することなく密に並べることで、高速伝送を実現し、周波数の利用効率を上げることができる。
【０００４】
SC-FDMAは、周波数帯域を分割し、複数の端末間で異なる周波数帯域を用いて伝送することで、端末間の干渉を低減することができる伝送方式である。SC-FDMAでは、送信電力の変動が小さくなる特徴を持つことから、端末の低消費電力化及び広いカバレッジを実現できる。
【０００５】
E-UTRAにおける上りリンクの無線アクセスに使用されるSC-FDMAについて、図１を参照して説明する。システムで使用可能な周波数帯域は、複数のリソースブロックに分割され、リソースブロックの各々は１以上のサブキャリアを含む。ユーザ装置(UE:  User  Equipment)には１以上のリソースブロックが割り当てられる。周波数スケジューリングでは、基地局装置で測定した各ユーザ装置の上りリンクのリソースブロック毎の受信信号品質又はチャネル状態情報(CQI:  Channel  Quality  Indicator）に応じて、チャネル状態の良好なユーザ装置に優先的にリソースブロックを割り当てることにより、システム全体の伝送効率又はスループットを向上させる。また、使用可能な周波数ブロックを所定の周波数ホッピングパターンに従って変更する周波数ホッピングも適用されるようにしてもよい。
【０００６】
図１において、異なるハッチングは異なるユーザ装置に割り当てられる時間・周波数リソースを示す。UE2は、広めの帯域が割り当てられていたが、次のサブフレームでは狭い帯域が割り当てられる。各ユーザ装置には、重複しないように異なる周波数帯域が割り当てられる。
【０００７】
SC-FDMAでは、セル内の各ユーザ装置は、異なる時間・周波数リソースを用いて送信する。このようにして、セル内のユーザ装置間の直交が実現される。SC-FDMAでは、連続する周波数を割り当てることにより、低ピーク電力対平均電力比(PAPR:  Peak-to-Average  Power  ratio)のシングルキャリア伝送が実現される。このため、送信電力に対する制限が厳しい上りリンクにおいて、カバレッジエリアを増大できる。SC-FDMAでは、割り当てる時間・周波数リソースは、基地局装置のスケジューラが、各ユーザの伝搬状況、送るべきデータのQoS(Quality  of  Service)に基づいて決定する。ここで、QoSにはデータレート、所要の誤り率、遅延が含まれる。このように、伝搬状況のよい時間・周波数リソースを各ユーザに割り当てることによりスループットを増大できる。
【非特許文献１】R.Dinis  et  al.,  "A  Multiple  Access  Scheme  for  the  Uplink  of  Broadband  Wireless  Access,"  IEEE  Globecom,  Dec.  2004
【発明の開示】
【発明が解決しようとする課題】
【０００８】
Evolved  UTRA  and  UTRANの次世代の無線通信システムにおける通信方式の検討が開始されようとしている。この次世代の通信方式は、IMT-Advanced(International  Mobile  Telecommunication- Advanced)、あるいは4G(4th  generation)と呼ばれてもよい。
【０００９】
次世代の無線通信システムには、様々な環境下における通信がサポートされるべきである。例えば、様々な環境のうち、主要な展開環境には、マイクロセル、屋内セル、ホットスポットセルが含まれる。
【００１０】
また、次世代の無線通信システムには、様々な環境及び要求されるQoS等に応じて、サービスを提供することが要求される。ここで、サービスには、データレートの高速化、QoS要求条件により要求される様々なトラヒックへの対応等が含まれる。また、カバレッジエリアを増大させることが要求される。例えば、様々な環境には、図２に示すように、マクロセル、マイクロセル、屋内セル、ホットスポットセルが含まれる。図２には、屋内セル／ホットスポットセルが含まれる屋内／ホットスポットレイヤ、マイクロセルが含まれるマイクロレイヤ、マクロセルが含まれるマクロレイヤが示される。次世代の無線通信システムでは、これらの様々な環境下における通信がサポートされるべきである。また、QoSには、データレート、所要の誤り率、遅延等が含まれる。また、データレートは、ユーザスループットと呼ばれてもよい。
【００１１】
また、次世代の無線通信システムには、ネットワークコストの低減が要求される。例えば、伝送容量の大容量化、広いカバレッジエリアを実現することにより達成される。
【００１２】
また、次世代の無線通信システムには、3G(3rd  Generation)システムとの互換性をもつことが望ましい。例えば、E-UTRAのフルサポート、W-CDMAやE-UTRAなどの既存の3Gシステムとのハンドオーバを実現できることが望ましい。
【００１３】
上述した要求条件のうち、E-UTRAが適用されるシステムよりも、ユーザスループットをさらに高速にする観点からは、上りリンクにおいては、E-UTRAで適用されるシングルキャリア方式よりも、マルチキャリア方式の方が好ましい。例えば、高速伝送を実現するためにシングルユーザMIMO(Multiple  Input  Multiple  Output)を適用する場合には、マルチパス干渉への耐性に優れたOFDMベースのマルチキャリア方式の方が優れるためである。
【００１４】
一方、広いカバレッジエリアを実現する観点からは、PAPRを低減することができるシングルキャリア方式の方が好ましい。また、E-UTRAをフルサポートする要求条件を満足させる観点からは、シングルキャリア方式の方が好ましい。
【００１５】
そこで、本発明は、上述した課題に鑑み、その目的は、環境に応じて、カバレッジエリア及びデータレートを制御することができるユーザ装置及び基地局装置並びに通信制御方法を提供することにある。
【課題を解決するための手段】
【００１６】
上記課題を解決するため、本ユーザ装置は、
シングルキャリア方式及びマルチキャリア方式の無線アクセス方式が適用されるユーザ装置であって、
無線アクセス方式を設定する無線アクセス方式設定部と、
該無線アクセス方式設定部により設定された無線アクセス方式がシングルキャリア方式である場合に、変調後のシンボル系列を離散フーリエ変換する離散フーリエ変換部と、
前記無線アクセス方式設定部により設定された無線アクセス方式がマルチキャリア方式である場合に、変調後のシンボル系列を直並列変換する直並列変換部と、
前記離散フーリエ変換部により離散フーリエ変換された変調後のシンボル系列又は、前記直並列変換部により直並列変換された変調後のシンボル系列に対して無線リソースを割り当て、周波数領域の信号を生成する周波数領域信号生成部と、
該周波数領域信号生成部により生成した周波数領域の信号に対して波形整形を行う波形整形フィルタと、
該波形整形フィルタにより波形整形された周波数領域の信号に対して逆高速フーリエ変換を行い、送信信号を生成する送信信号生成部と、
該送信信号生成部により生成された送信信号を無線送信する送信部と
を有し、
前記波形整形フィルタに設定されるロールオフ率は、前記無線アクセス方式設定部により設定された無線アクセス方式がマルチキャリア方式である場合にゼロが設定され、前記無線アクセス方式がシングルキャリア方式である場合に基地局装置がカバーするセルの半径に基づいて設定される。
【００１７】
本基地局装置は、
シングルキャリア方式及びマルチキャリア方式の無線アクセス方式が適用されるユーザ装置と通信を行う基地局装置であって、
ユーザ装置が使用する無線アクセス方式を設定する無線アクセス方式設定部と、
該無線アクセス方式設定部により設定された無線アクセス方式に従って、前記ユーザ装置が波形整形を行うためのロールオフ率を設定する波形整形条件設定部と、
前記無線アクセス方式設定部により設定された無線アクセス方式及び前記波形整形条件設定部により設定された波形整形条件を示す情報を無線により通知する通知部と
を有し、
前記波形整形条件設定部は、前記無線アクセス方式設定部により設定された無線アクセス方式がマルチキャリア方式である場合にロールオフ率をゼロに設定し、前記無線アクセス方式がシングルキャリア方式である場合に前記基地局装置がカバーするセルの半径に基づいてロールオフ率を設定する。
【００１８】
本通信制御方法は、
シングルキャリア方式及びマルチキャリア方式の無線アクセス方式が適用されるユーザ装置と、該ユーザ装置と無線通信を行う基地局装置とを有する無線通信システムにおける通信制御方法であって、
基地局装置が、ユーザ装置が使用する無線アクセス方式を設定するステップと、
前記基地局装置が、前記無線アクセス方式を設定するステップにより設定された無線アクセス方式に従って、前記ユーザ装置が波形整形を行うためのロールオフ率を設定するステップと、
前記基地局装置が、前記無線アクセス方式を設定するステップにより設定された無線アクセス方式及び前記波形整形条件を設定するステップにより設定された波形整形条件を示す情報を無線により通知するステップと、
前記ユーザ装置が、前記基地局装置により通知された無線アクセス方式に従って、無線アクセス方式を設定するステップと、
前記ユーザ装置が、前記無線アクセス方式を設定するステップにより設定した無線アクセス方式に応じて、変調後のシンボル系列の離散フーリエ変換又は変調後のシンボル系列の直並列変換を行う変換ステップと、
前記ユーザ装置が、前記変換ステップにより離散フーリエ変換された変調後のシンボル系列又は、前記直並列変換された変調後のシンボル系列に対して無線リソースを割り当て、周波数領域の信号を生成するステップと、
前記ユーザ装置が、前記基地局装置により通知された波形整形条件を示す情報に従って、前記周波数領域の信号を生成するステップにより生成した周波数領域の信号に対して波形整形を行うステップと、
前記ユーザ装置が、前記波形整形を行うステップにより波形整形が行われた周波数領域の信号に対して逆高速フーリエ変換を行い、送信信号を生成するステップと、
前記ユーザ装置が、前記送信信号を生成するステップにより生成した送信信号を無線送信するステップと
を有し、
前記ロールオフ率を設定するステップでは、前記無線アクセス方式を設定するステップより設定された無線アクセス方式がマルチキャリア方式である場合にロールオフ率をゼロに設定し、前記無線アクセス方式がシングルキャリア方式である場合に、前記基地局装置がカバーするセルの半径に基づいてロールオフ率を設定する。
【発明の効果】
【００１９】
本発明の実施例によれば、環境に応じて、カバレッジエリア及びデータレートを制御することができるユーザ装置及び基地局装置並びに通信制御方法を実現することができる。
【発明を実施するための最良の形態】
【００２０】
以下、本発明の実施例を、図面を参照しつつ説明する。実施例を説明するための全図において、同一機能を有するものは同一符号を用い、繰り返しの説明は省略する。
（第１の実施例）
本発明の実施例に係るユーザ装置及び基地局装置を有する無線通信システムについて、図３を参照して説明する。
【００２１】
無線通信システム１０００は、例えばEvolved  UTRA  and  UTRAN（別名:  Long  Term  Evolution，或いは，Super  ３Gが包含されるシステムである。この無線通信システムは、IMT-Advancedと呼ばれてもよいし、4Gと呼ばれてもよい。
【００２２】
無線通信システム１０００は、基地局装置(eNB:  eNodeB)２００と、基地局装置２００と通信する複数のユーザ装置(UE:  User  Equipment)１００ｎ（１００１、１００２、１００３、・・・１００ｎ、ｎはｎ＞０の整数）とを備える。eNB及びUEは、次世代の無線通信システムの通信方式の議論に応じて異なる名称となる場合がある。その場合には、その名称で呼ばれてもよい。基地局装置２００は上位局と接続され、アクセスゲートウェイ装置３００はコアネットワーク４００と接続される。例えば、上位局には、アクセスゲートウェイ装置３００が含まれるようにしてもよい。また、上位局は、次世代の無線通信システムの通信方式の議論に応じて、適宜変更される場合がある。この場合には、その上位局と接続される。
【００２３】
各ユーザ装置（１００１、１００２、１００３、・・・１００ｎ）は、同一の構成、機能、状態を有するので、以下では特段の断りがない限りユーザ装置１００ｎとして説明を進める。
【００２４】
無線通信システム１０００、例えば、Evolved  UTRANでは、下りリンクについてはOFDMA（直交周波数分割多元接続）が、上りリンクについてはSC-FDMA（シングルキャリア−周波数分割多元接続）が含まれる。上述したように、OFDMAは、周波数帯域を複数の狭い周波数帯域（サブキャリア）に分割し、各サブキャリアにデータをマッピングして通信を行うマルチキャリア伝送方式である。SC-FDMAは、周波数帯域をユーザ装置毎に分割し、複数のユーザ装置が互いに異なる周波数帯域を用いることで、ユーザ装置間の干渉を低減するシングルキャリア伝送方式である。このようにすることにより、本無線通信システムでは、E-UTRAのフルサポートを実現できる。
【００２５】
ここで、Evolved  UTRA  and  UTRANにおける通信チャネルについて説明する。これらの通信チャネルは、本実施例に係る無線通信システムに適用するようにしてもよい。
【００２６】
下りリンクについては、各ユーザ装置１００ｎで共有される物理下りリンク共有チャネル(PDSCH:  Physical  Downlink  Shared  Channel)と、物理下りリンク制御チャネル(PDCCH:  Physical  Downlink  Control  Channel)とが用いられる。物理下りリンク制御チャネルは下りL1/L2制御チャネルとも呼ばれる。上記物理下りリンク共有チャネルにより、ユーザデータ、すなわち、通常のデータ信号が伝送される。
【００２７】
上りリンクについては、各ユーザ装置１００ｎで共有して使用される物理上りリンク共有チャネル（PUSCH:  Physical  Uplink  Shared  Channel）と、物理上りリンク制御チャネルとが用いられる。上記物理上りリンク共有チャネルにより、ユーザデータ、すなわち、通常のデータ信号が伝送される。また、物理上りリンク制御チャネルにより、下りリンクにおける共有物理チャネルのスケジューリング処理や適応変復調及び符号化（AMC:  Adaptive  Modulation  and  Coding）に用いるための下りリンクの品質情報(CQI:  Channel  Quality  Indicator)、及び、物理下りリンク共有チャネルの送達確認情報（Acknowledgement  Information）が伝送される。送達確認情報の内容は、送信信号が適切に受信されたことを示す肯定応答(ACK:  Acknowledgement)又はそれが適切に受信されなかったことを示す否定応答(NACK:  Negative  Acknowledgement)の何れかで表現される。
【００２８】
物理上りリンク制御チャネルでは、CQIや送達確認情報に加えて、上りリンクの共有チャネルのリソース割り当てを要求するスケジューリング要求(Scheduling  Request)や、パーシステントスケジューリング（Persistent  Scheduling）におけるリリース要求(Release  Request)等が送信されてもよい。ここで、上りリンクの共有チャネルのリソース割り当てとは、あるサブフレームの物理下りリンク制御チャネルを用いて、後続のサブフレームにおいて上りリンクの共有チャネルを用いて通信を行ってよいことを基地局装置２００がユーザ装置１００ｎに通知することを意味する。
【００２９】
本実施例に係る無線通信システムでは、ユーザ装置１００ｎは、複数の無線アクセス方式が適用される。例えば、無線アクセス方式には、シングルキャリア方式とマルチキャリア方式とが含まれる。この場合、ユーザ装置１００ｎは、シングルキャリア方式又はマルチキャリア方式で、データ伝送を行うことができる。
【００３０】
図４に示すように、シングルキャリア方式は、低PAPRの特性を有する。このため、広いカバレッジエリア環境への適用に適する。一方、マルチキャリア方式は、MIMOの適用において利点があるため、高速データレートが要求される環境への適用に適する。また、マルチキャリア方式は、マルチパス干渉への耐性に優れる。
【００３１】
また、ユーザ装置１００ｎは、ロールオフ率を制御する。ロールオフ率とは、波形整形フィルタの特性を示す値であり、波形整形の度合いを意味する。ロールオフ率が大きいほどPAPRの大きな低減が可能である。しかし、波形整形によりデータ伝送に用いることができるサブキャリア数が減少する。このため、周波数利用効率は低下し、ピークデータレート（最大伝送速度）は低くなる。従って、PAPRの低減と周波数利用効率の増大との間にはトレードオフの関係がある。本実施例では、PAPRと周波数利用効率とを制御するために、ロールオフ率を用いる。このようにすることにより、カバレッジエリアとデータレートとを制御できる。
【００３２】
本実施例に係るユーザ装置１００ｎは、在圏するエリアをカバーする基地局装置２００がサポートする環境に応じて、無線アクセス方式及びロールオフ率が適応制御される。このようにすることにより、カバレッジエリア及びピークデータレートを最適に制御できる。例えば、ロールオフ率は、後述するが、割り当てられたリソースブロックの帯域幅、チャネル符号化率、変調方式に基づいて、制御されてもよい。
【００３３】
次に、本実施例に係るユーザ装置１００ｎについて、図５を参照して説明する。
【００３４】
本実施例に係るユーザ装置１００ｎは、送信データ生成部１０２と、チャネル符号化部１０４と、データ変調部１０６と、無線アクセス方式切替部１０８と、直並列変換部(S/P)１１０と、DFT-Spread  OFDM処理部１１２と、CP(cyclic  Prefix)付与部１２２と、多重部１２４と、復調部１２６と、復号部１２８とを有する。また、DFT-Spread  OFDM処理部１１２は、離散フーリエ変換部（DFT:  Discrete  Fourier  Transform）１１４と、サブキャリアマッピング部１１６と、波形整形フィルタ１１８と、逆高速フーリエ変換部（IFFT）１２０とを有する。
【００３５】
基地局装置２００により送信された下りリンクの信号は、復調部１２６に入力される。復調部１２６は、入力されたOFDMA信号を復調する。そして、復調部１２６は、復調されたOFDMA信号を復号部１２８に入力する。復号部１２８は、復調部１２６により入力されたOFDMA信号を復号する。このOFDMA信号は、報知チャネルで伝送される信号であってもよいし、下りリンク制御チャネルにより送信される信号であってもよい。このOFDMA信号には、無線アクセス方式切替え信号と、ロールオフ率と、リソースブロック番号と、伝送フォーマットとが含まれるようにしてもよい。ここで、伝送フォーマットには、符号化率と、変調方式とが含まれるようにしてもよい。復号部１２８は、送信データ生成部１０２、チャネル符号化部１０４及びデータ変調部１０６に、伝送フォーマットを入力する。また、復号部１２８は、無線アクセス方式切替え信号を無線アクセス方式切替部１０８に入力する。また、復号部１２８は、リソースブロック番号をサブキャリアマッピング部１１６に入力する。また、復号部１２８は、ロールオフ率を波形整形フィルタ１１８に入力する。
【００３６】
送信データ生成部１０２は、上りリンクで送信するデータを生成する。送信データ生成部１０２は、生成した上りリンクで送信するデータをチャネル符号化部１０４に入力する。
【００３７】
チャネル符号化部１０４は、送信データ生成部１０２により入力された送信データを、復号部１２８により入力された伝送フォーマットに基づいてチャネル符号化処理を行う。チャネル符号化部１０４は、チャネル符号化処理が行われた送信データを、データ変調部１０６に入力する。例えば、チャネル符号化部１０４は、伝送フォーマットに含まれる符号化率により、チャネル符号化処理を行う。
【００３８】
データ変調部１０６は、チャネル符号化部１０４により入力されたチャネル符号化処理が行われた送信データを、復号部１２８により入力された伝送フォーマットに基づいて変調する。データ変調部１０６は、変調されたチャネル符号化処理が行われた送信データを、無線アクセス方式切替部１０８に入力する。例えば、データ変調部１０６は、伝送フォーマットに含まれる変調方式により、データ変調を行う。
【００３９】
無線アクセス方式切替部１０８は、データ変調部１０６により入力された変調されたチャネル符号化処理が行われた送信データを、復号部１２８により入力された無線アクセス方式切替え信号に基づいて、シングルキャリア方式により送信するシングルキャリアモード又はマルチキャリア方式により送信するマルチキャリアモードに切り替える。無線アクセス方式切替部１０８は、無線アクセス方式切替え信号にシングルキャリア方式を示す情報が含まれる場合には、入力された変調された送信データを離散フーリエ変換部１１４に入力する。また、無線アクセス方式切替部１０８は、無線アクセス方式切替信号にマルチキャリア方式を示す情報が含まれる場合には、入力された変調されたチャネル符号化処理が行われた送信データを直並列変換部(S/P)１１０に入力する。
【００４０】
離散フーリエ変換部１１４は、入力された送信データの系列をＱシンボル毎にブロック化して高速フーリエ変換を行うことにより、周波数領域に変換する。そして、離散フーリエ変換部１１４は、周波数領域において得られたＱ個のシングルキャリアの信号をサブキャリアマッピング部１１６に入力する。
【００４１】
直並列変換部(S/P)１１０は、入力された送信データの系列を並列的な複数の信号系列に変換する。そして、直並列変換部１１０は、並列的な複数の信号系列を、サブキャリアマッピング部１１６に入力する。
【００４２】
サブキャリアマッピング部１１６は、離散フーリエ変換部１１４により入力されたシングルキャリアの信号又は直並列変換部１１０により入力された並列的な複数の信号系列に変換された各信号を、復号部１２８により入力されたリソースブロック番号に基づいて、各サブキャリアに割り当て、周波数領域の信号を生成する。例えば、サブキャリアマッピング部１１６は、シングルキャリアの信号をリソースブロック番号に該当するサブキャリアに割り当てる。また、例えば、サブキャリアマッピング部１１６は、並列的な複数の信号系列に変換された各信号を、リソースブロック番号に該当するサブキャリアに割り当てる。例えば、割り当てられるサブキャリアは、飛び飛びのサブキャリアであってもよいし、連続したサブキャリアであってもよい。サブキャリアマッピング部１１６は、サブキャリアにマッピングされた信号を、波形整形フィルタ１１８に入力する。
【００４３】
波形整形フィルタ１１８は、復号部１２８により入力されたロールオフ率に基づいて、入力された信号の波形整形を行う。そして、波形整形された信号は、IFFT１２０に入力される。
【００４４】
IFFT１２０は、波形整形フィルタ１１８と接続され、該波形整形フィルタ１１８により入力された信号を逆高速フーリエ変換し、ＯＦＤＭ方式の変調を行う。OFDM方式の変調が行われた信号は、CP付与部１２２に入力される。
【００４５】
CP付与部１２２は、OFDM方式の変調が行われた信号にサイクリックプリフィックスを付加し、ＯＦＤＭ方式におけるシンボルを作成する。CP付与部１２２は、作成したOFDM方式におけるシンボルを多重部１２４に入力する。
【００４６】
多重部１２４は、OFDM方式におけるシンボルとパイロット信号とを多重する。多重された信号は、送信無線機に入力される、送信無線機は、OFDM方式におけるシンボルとパイロット信号とが多重された信号を送信する。
【００４７】
次に、本実施例に係る基地局装置２００について、図６を参照して説明する。
【００４８】
本実施例に係る基地局装置２００は、スケジューラ２０２と、上り無線アクセス方式、リソースブロック割り当て情報信号生成部２０４と、OFDM信号生成部２０６と、同期検出・チャネル推定部２０８と、CP除去部２１０と、高速フーリエ変換部２１２と、サブキャリアデマッピング部２１４と、無線アクセス方式切替部２１６と、周波数領域等化部２１８と、逆離散フーリエ変換部(IDFT:  inverse  discrete  Fourier  transform)２２０と、チャネル等化部２２２と、並直列変換部（P/S）２２４と、無線アクセス方式切替部２２６と、データ復調部２２８と、データ復号部２３０とを有する。
【００４９】
ユーザ装置１００ｎは、上りリンクで送信するデータが生じた場合に、該データを送信するための無線リソースの割り当ての要求信号を基地局装置２００に送信する。この要求信号は、スケジューリングリクエストであってもよい。例えば、この要求信号には、送信するデータに要求されるQoSが含まれるようにしてもよい。例えばQoSには、データレートが含まれるようにしてもよい。また、このQoSには、所要誤り率が含まれるようにしてもよい。また、このQoSには、遅延に関して要求される情報が含まれるようにしてもよい。ユーザ装置１００ｎにより送信された無線リソースの割り当ての要求信号に含まれるQoSは、スケジューラ２０２に入力される。
【００５０】
基地局装置２００は、ユーザ装置１００ｎにより送信されたパイロット信号に基づいて、受信品質を測定する。この上りリンクのチャネル品質情報は、スケジューラ２０２に入力される。また、基地局装置２００は、パスロスを測定する。このパスロスは、スケジューラ２０２に入力される。
【００５１】
スケジューラ２０２は、入力されたQoSと、上りリンクのチャネル受信品質と、パスロスとに基づいて、無線リソースを割り当てるユーザ装置と、該ユーザ装置に割り当てるリソースブロックとを決定する。また、スケジューラ２０２は、無線リソースを割り当てるユーザ装置が使用する無線アクセス方式を決定する。例えば、スケジューラ２０２は、無線リソースを割り当てるユーザ装置に対して、上りリンクの信号を、シングルキャリア方式により送信させるかマルチキャリア方式により送信させるかを決定する。
【００５２】
また、スケジューラ２０２は、無線リソースを割り当てるユーザに対して、ユーザ装置に適用させるロールオフ率を決定する。このロールオフ率は、１つの値であってもよいし、複数の値をとるようにしてもよい。例えば、スケジューラ２０２は、在圏するユーザ装置の位置に基づいて、異なるロールオフ率を決定するようにしてもよい。
【００５３】
例えば、スケジューラ２０２は、当該基地局装置２００におけるサイト間距離に基づいて、在圏するユーザ装置１００ｎに対して、上りリンクのデータをシングルキャリア方式により送信させるかマルチキャリア方式により送信させるかを決定する。言い換えれば、スケジューラ２０２は、当該基地局装置の近傍に位置する他の基地局装置との間の距離に基づいて、在圏するユーザ装置１００ｎに使用させる無線アクセス方式を決定する。具体的には、サイト間距離が所定の距離未満である場合には、マルチキャリア方式により送信させると決定する。このようにすることにより、ピークデータレートを向上させることができる。また、サイト間距離が所定の距離以上である場合には、シングルキャリア方式により送信させると決定する。このようにすることにより、カバレッジを確保することができる。ここで、所定の距離は、PAPRと、データレートとに基づいて決定されてもよい。
【００５４】
スケジューラ２０２は、マルチキャリア方式により送信させると決定した場合には、ロールオフ率をゼロとするようにしてもよい。このようにすることにより、高速伝送を実現できる。一方、シングルキャリア方式により送信させると決定した場合には、スケジューラ２０２は、当該基地局装置２００のカバーするセルの半径に応じて、ロールオフ率を決定するようにしてもよい。例えば、セル半径が大きくなるに従って、ロールオフ率を大きくするようにしてもよい。このようにすることにより、PAPRを低減でき、カバレッジエリアを広くできる。このため、セル端に位置するユーザ装置から送信される上りリンクの信号の受信品質を向上させることができる。
【００５５】
また、例えば、スケジューラ２０２は、当該基地局装置２００のセルの構成に基づいて、在圏するユーザ装置１００ｎに対して、上りリンクのデータをシングルキャリア方式により送信させるかマルチキャリア方式により送信させるかを決定するようにしてもよい。具体的には、セル構成が屋内セル又はホットスポットセルである場合には、マルチキャリア方式により送信させると決定する。セル半径が小さいので、カバレッジエリアよりも、ピークデータレートの方を優先させるためである。また、セル構成がマクロセル又はマイクロセルである場合には、シングルキャリア方式により送信させると決定する。屋内セル又はホットスポットセルと比べて、カバレッジエリアを確保する必要があるためである。
【００５６】
スケジューラ２０２は、マルチキャリア方式により送信させると決定した場合には、ロールオフ率をゼロとするようにしてもよい。このようにすることにより、高速伝送を実現できる。一方、シングルキャリア方式により送信させると決定した場合には、スケジューラ２０２は、当該基地局装置２００のカバーするセルの半径に応じて、ロールオフ率を決定するようにしてもよい。例えば、セル半径が大きくなるに従って、ロールオフ率を大きくするようにしてもよい。このようにすることにより、PAPRを低減でき、カバレッジエリアを広くできる。このため、セル端に位置するユーザ装置から送信される上りリンクの信号の受信品質を向上させることができる。
【００５７】
また、例えば、スケジューラ２０２は、物理チャネルの種類に応じて、シングルキャリア方式により送信させるかマルチキャリア方式により送信させるかを決定するようにしてもよい。具体的には、データチャネルは、マルチキャリア方式により送信させると決定する。このようにすることにより、高速伝送を実現できる。また、制御チャネルは、シングルキャリア方式により送信させると決定する。このようにすることにより、基地局装置２００は、ユーザ装置１００ｎにより送信される制御チャネルの受信誤りを低減できる。
【００５８】
スケジューラ２０２は、マルチキャリア方式により送信させると決定した場合には、ロールオフ率をゼロとするようにしてもよい。このようにすることにより、マルチキャリア方式において高速伝送を実現できる。一方、シングルキャリア方式により送信させると決定した場合には、スケジューラ２０２は、当該基地局装置２００のカバーするセルの半径に応じて、ロールオフ率を決定するようにしてもよい。例えば、セル半径が大きくなるに従って、ロールオフ率を大きくするようにしてもよい。このようにすることにより、PAPRを低減でき、カバレッジエリアを広くできる。このため、セル端に位置するユーザ装置から送信される上りリンクの信号の受信品質を向上させることができる。
【００５９】
スケジューラ２０２は、決定した無線アクセス方式、ロールオフ率、該ユーザに割り当てるリソースブロック、MCSセットを、上り無線アクセス方式、リソースブロック割り当て情報信号生成部２０４に入力する。また、スケジューラ２０２は、該ユーザに割り当てるリソースブロックを示す情報をサブキャリアデマッピング部２１４に入力する。例えば、リソースブロックを示す情報には、リソースブロック番号が含まれるようにしてもよい。また、決定した無線アクセス方式が含まれる無線アクセス方式切替え信号を、無線アクセス方式切替部２１６及び２２６に入力する。また、スケジューラ２０２は、ロールオフ率をサブキャリアデマッピング部２１４に入力する。また、スケジューラ２０２は、MCSセットをデータ復調部２２８及びデータ復号部２３０に入力する。
【００６０】
上り無線アクセス方式、リソースブロック割り当て情報信号生成部２０４は、スケジューラ２０２により入力された情報に基づいて、無線アクセス方式切替え信号、ロールオフ率、リソースブロック番号、伝送フォーマットが含まれる情報信号を生成する。そして、上り無線アクセス方式、リソースブロック割り当て情報信号生成部２０４は、生成した情報信号を、OFDM信号生成部２０６に入力する。
【００６１】
OFDM信号生成部２０６は、入力された情報信号からOFDM信号を生成し、送信無線機に入力する。送信無線機は、OFDM信号を送信する。例えば、制御情報は報知チャネルによりセル内の全ユーザに通知されるようにしてもよい。
【００６２】
ユーザ装置１００ｎにより送信された上りリンクの信号は、基地局装置２００に受信される。基地局装置２００は、上りリンクの信号に含まれるパイロット信号を同期検出・チャネル推定部２０８に入力する。
【００６３】
同期検出・チャネル推定部２０８は、入力されたパイロット信号の同期検出を行い、受信タイミングを推定し、該推定した受信タイミングをCP除去部２１０に入力する。また、同期検出・チャネル推定部２０８は、入力されたパイロット信号に基づいて、チャネル推定を行い、その結果を周波数領域等化部２１８及びチャネル等化部２２２に入力する。
【００６４】
CP除去部２１０は、入力された受信タイミングに基づいて、受信信号からCPを除去する。そして、CPが除去された受信信号は、FFT２１２に入力される。
【００６５】
FFT２１２は、CPが除去された受信信号に対して、フーリエ変換を行い、時系列の情報を周波数領域の情報に変換する。該周波数領域の情報は、サブキャリアデマッピング２１４に入力される。
【００６６】
サブキャリアデマッピング２１４は、入力されたリソースブロック番号に基づいて、周波数領域でのデマッピングを行う。この処理は個々のユーザ装置で行われた周波数領域でのマッピングに対応して行われる。また、サブキャリアデマッピング２１４は、ロールオフ率に基づいて、デマッピングを行う。デマッピング処理が行われた周波数領域の信号は、無線アクセス方式切替部２１６に入力される。
【００６７】
無線アクセス方式切替部２１６は、入力された無線アクセス方式切替え信号に基づいて、該無線アクセス方式切替え信号がシングルキャリア方式を示す信号である場合には、入力されたデマッピング処理が行われた周波数領域の信号を周波数領域等化部２１８に入力する。また、無線アクセス方式切替部２１６は、入力された無線アクセス方式切替え信号に基づいて、該無線アクセス方式切替え信号がマルチキャリア方式を示す信号である場合には、入力されたデマッピング処理が行われた周波数領域の信号をチャネル等化部２２２に入力する。
【００６８】
周波数領域等化部２１８は、入力されたチャネル推定値に基づいて、デマッピング処理が行われた周波数領域の信号に対して、周波数領域における等化処理を行う。そして、周波数領域等化部２１８は、等化処理が行われた信号をIDFT２２０に入力する。
【００６９】
IDFT２２０は、等化処理が行われた信号に対して逆離散フーリエ変換を行う。そして、逆離散フーリエ変換が行われた信号を無線アクセス方式切替部２２６に入力する。
【００７０】
チャネル等化部２２２は、入力されたチャネル推定値に基づいて、デマッピング処理が行われた周波数領域の信号に対して、チャネル等化処理を行う。そして、チャネル等化部２２２は、チャネル等化処理が行われた信号をP/S２２４に入力する。
【００７１】
P/S２２４は、チャネル等化処理が行われた信号に対して、並直列変換処理を行う。そして、並直列変換が行われた信号を無線アクセス方式切替部２２６に入力する。
【００７２】
無線アクセス方式切替部２２６は、入力された逆離散フーリエ変換が行われた信号又は並直列変換が行われた信号をデータ復調部２２８に入力する。
【００７３】
データ復調部２２８は、入力された伝送フォーマットに基づいて、逆離散フーリエ変換が行われた信号又は並直列変換が行われた信号の復調を行う。そして、データ復調部２２８は、復調が行われた信号をデータ復号部２３０に入力する。
【００７４】
データ復号部２３０は、入力された伝送フォーマットに基づいて、復調が行われた信号を復号する。その結果、送信データが得られる。
【００７５】
本実施例に係る通信制御方法について、図７を参照して説明する。
【００７６】
ユーザ装置１００ｎは、基地局装置２００に対して、無線リソースの割り当て要求を行う（ステップＳ７０２）。例えば、ユーザ装置１００ｎは、上りリンクの信号が生じた場合に、該上りリンクの信号を送信するために、基地局装置２００に対して、無線リソースの割り当て要求を行う。
【００７７】
基地局装置２００は、ユーザ装置１００ｎにより送信された無線リソースの割り当て要求に基づいてスケジューリングを行う。そして、基地局装置２００は、該ユーザ装置１００ｎに無線リソースを割り当てると決定した場合、該ユーザ装置１００ｎに割り当てるリソースブロック、伝送フォーマットを決定する。
また、基地局装置２００は、該ユーザ装置１００ｎに適用する無線アクセス方式を決定する（ステップＳ７０４）。例えば、スケジューラ２０２は、該ユーザ装置１００ｎが送信する上りリンクのデータに要求されるQoS、上りリンクのチャネルの品質情報、パスロスなどに基づいてスケジューリングを行う。そして、スケジューラ２０２は、上述した無線アクセス方式決定方法のいずれかにより、該ユーザ装置１００ｎに適用する無線アクセス方式を決定する。また、スケジューラ２０２は、上述した無線アクセス方式決定方法のいずれかに示される方法により、ロールオフ率を決定する。
【００７８】
基地局装置２００は、無線アクセス方式切替え信号を送信する（ステップＳ７０６）。例えば、基地局装置２００は、報知チャネルにより、無線アクセス方式切換え信号を送信するようにしてもよい。この無線アクセス方式切換え信号に、ユーザ装置１００ｎに適用する無線アクセス方式の情報が含まれる。
【００７９】
ユーザ装置１００ｎは、基地局装置２００により送信された無線アクセス方式切換え信号に基づいて、該無線アクセス方式切換え信号に含まれる無線アクセス方式に切り替える（ステップＳ７０８）。例えば、無線アクセス切換部１０８は、入力された無線アクセス方式切換え信号に含まれる無線アクセス方式に切り替える。
【００８０】
ユーザ装置１００ｎは、無線アクセス方式切換え信号に含まれる無線アクセス方式に従って、上りリンクの信号を送信する（ステップＳ７１０）。
【００８１】
基地局装置２００は、ステップＳ７０４において決定された無線アクセス方式に従って、ユーザ装置１００ｎにより送信された上りリンクの信号の受信処理を行う（ステップＳ７１２）。
【００８２】
上述した実施例において、ユーザ装置にマルチキャリア方式により上りリンクの信号を送信させるように決定した場合には、システム上でロールオフ率がゼロであると規定するようにしてもよい。このようにすることにより、基地局装置は、ユーザ装置にマルチキャリア方式により上りリンクの信号を送信させるように決定した場合には、ロールオフ率を通知する必要がない。このため、伝送する情報量を低減できる。
【００８３】
本実施例によれば、上りリンクにおいて、サポートすべき環境に応じて、無線アクセス方式を切り替えることができる。例えば、サポートすべき環境には、セル構成が含まれる。また、マルチキャリア方式を適用するようにした場合でも、シングルキャリア方式の送信機にS/Pを追加することで実現できる。
【００８４】
また。無線アクセス方式及び波形整形フィルタのロールオフ率を、サポートすべき環境に応じて適応的に制御することができる。このため、PAPR及びピークデータレートを最適化できる。
（第２の実施例）
本発明の実施例に係るユーザ装置及び基地局装置を有する無線通信システムは、図3を参照して説明したユーザ装置及び基地局装置と同様である。
【００８５】
本実施例に係る無線通信システムでは、基地局装置２００は、在圏するユーザ装置に対して、個別に無線アクセス方式を決定する。
【００８６】
スケジューラ２０２は、QoS、チャネル品質などの情報に応じて，ユーザ装置毎に固有の制御を行う。ここで、QoSには、伝送すべきデータのデータレート、所要の誤り率、遅延に関して要求される情報が含まれるようにしてもよい。また、チャネル品質には、CQI( Channel  Quality  Indicator)、パスロスが含まれるようにしてもよい。
【００８７】
また、例えば、スケジューラ２０２は、割り当てるリソースブロック(RB:  Resource  Block)の数に応じて、シングルキャリア方式により送信させるかマルチキャリア方式により送信させるかを決定するようにしてもよい。具体的には、当該ユーザ装置１００ｎに割り当てるリソースブロックの数が所定の数以上である場合には、マルチキャリア方式により送信させると決定する。ピークデータレートの方を優先するためである。また、当該ユーザに割り当てられるリソースブロックの数が所定の数未満である場合には、シングルキャリア方式により送信させると決定する。
【００８８】
スケジューラ２０２は、マルチキャリア方式により送信させると決定した場合には、ロールオフ率をゼロとするようにしてもよい。このようにすることにより、マルチキャリア方式において高速伝送を実現できる。一方、シングルキャリア方式により送信させると決定した場合には、スケジューラ２０２は、当該ユーザ装置１００ｎに割り当てるリソースブロックの数に応じて、ロールオフ率を決定するようにしてもよい。例えば、当該ユーザ装置１００ｎに割り当てるリソースブロックの数が多くなるに従って、ロールオフ率を大きくするようにしてもよい。このようにすることにより、PAPRを低減でき、カバレッジエリアを広くできる。このため、セル端に位置するユーザ装置から送信される上りリンクの信号の受信品質を向上させることができる。
【００８９】
また、スケジューラ２０２は、無線リソースを割り当てるユーザ装置に適用する変調方式・チャネル符号化率(MCS:  Modulation  and  channel  Coding  scheme)セットを決定する。この場合、MCSセットとロールオフ率とを関連付けるようにしてもよい。例えば、決定されたMCSが伝送効率の高い変調方式・チャネル符号化率である高効率MSCである場合には、ロールオフ率を小さい値にする。また、決定されたMCSが伝送効率の低い変調方式・チャネル符号化率である低効率MCSである場合には、ロールオフ率を大きい値にする。リソースブロック数及びMCSは、RB数が大きい程、また選択されたMCSが伝送効率の高い変調方式・チャネル符号化率である程、該ユーザ装置１００ｎは基地局装置２００に近い位置に在圏すると想定される。このため、カバレッジエリアよりも、ピークデータレートを優先する。一方、RB数及びMCSは、RB数が小さい程、また、選択されたMCSが伝送効率の低い変調方式・チャネル符号化率である程、該ユーザ装置１００ｎはセル端側に位置すると想定される。このため、ピークデータレートよりも、カバレッジエリアを優先する。
【００９０】
また、例えば、スケジューラ２０２は、伝送データのデータレートに応じて、シングルキャリア方式により送信させるかマルチキャリア方式により送信させるかを決定するようにしてもよい。具体的には、スケジューラ２０２は、パスロスに基づいて、基地局装置近傍に位置するユーザに対しては、高速データレートを実現できるマルチキャリア方式を適用すると決定する。また、送信可能な電力などの情報に基づいて、基地局装置近傍に位置するユーザに対しては、高速データレートを実現できるマルチキャリア方式を適用すると決定するようにしてもよい。また、セル端のユーザに対しては，シングルキャリア方式を適用すると決定する。さらに、シングルキャリア方式を適用するユーザに対して、ロールオフ率を大きくする制御を行うことにより、カバレッジエリアの増大を実現するようにしてもよい。
【００９１】
本実施例では、無線アクセス方式切替え信号は、物理下りリンク制御チャネルによりユーザ毎に通知されるようにしてもよい。例えば、物理下りリンク制御チャネルには、L1/L2制御チャネルが含まれるようにしてもよい。
【００９２】
また、上述した第１の実施例と組み合わせるようにしてもよい。例えば、セル固有の制御情報により無線アクセス方式・ロールオフ率が決定される。例えば、基地局装置２００は、このセル固有の情報を報知チャネルにより、在圏するユーザ装置１００ｎに通知する。その後に、ユーザ装置毎の個別の制御情報に従って、無線アクセス方式・ロールオフ率が制御されてよい。例えば、基地局装置２００は、このユーザ装置毎の固有の情報を物理下りリンク制御チャネルにより、該当するユーザ装置１００ｎに通知する。
【００９３】
例えば、サイト間距離が大きい環境やマクロセルにおいては、カバレッジエリアの観点からシングルキャリア方式の適用が考えられるが、基地局装置２００の近傍のユーザ装置に対しては、マルチキャリア方式を適用して、高速データ伝送を実現可能とするように制御を行うようにしてもよい。特に、基地局装置２００の近傍のユーザ装置から高速データ伝送の要求があった場合に好ましい。
【００９４】
また、例えば、逆に、セル端に位置するユーザに対しては、チャネルの品質に応じて、シングルキャリア方式で大きなロールオフ率を適用する制御を行うようにしてもよい。
【００９５】
本実施例に係る通信制御方法は、図７を参照して説明した通信制御方法において、ステップＳ７０６が、ユーザ装置に個別のL1/L2制御チャネルにより、ユーザ毎に通知される点で異なる。
【００９６】
上述した実施例において、ユーザ装置にマルチキャリア方式により上りリンクの信号を送信させるように決定した場合には、システム上でロールオフ率がゼロであると規定するようにしてもよい。このようにすることにより、基地局装置は、ユーザ装置にマルチキャリア方式により上りリンクの信号を送信させるように決定した場合には、ロールオフ率を通知する必要がない。このため、伝送する情報量を低減できる。
【００９７】
本実施例によれば、上りリンクにおいて、サポートすべき環境に応じて、ユーザ装置毎に、無線アクセス方式を切り替えることができる。例えば、サポートすべき環境には、セル構成が含まれる。また、マルチキャリア方式を適用するようにした場合でも、シングルキャリア方式の送信機にS/Pを追加することで実現できる。
【００９８】
また。無線アクセス方式及び波形整形フィルタのロールオフ率を、サポートすべき環境に応じて適応的に制御することができる。このため、PAPR及びピークデータレートを最適化できる。
【００９９】
説明の便宜上、本発明を幾つかの実施例に分けて説明したが、各実施例の区分けは本発明に本質的ではなく、２以上の実施例が必要に応じて使用されてよい。発明の理解を促すため具体的な数値例を用いて説明したが、特に断りのない限り、それらの数値は単なる一例に過ぎず適切な如何なる値が使用されてよい。
【０１００】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【図面の簡単な説明】
【０１０１】
【図１】シングルキャリア−ＦＤＭＡを示す説明図である。
【図２】上りリンクに対する要求条件を示す説明図である。
【図３】一実施例に係る無線通信システムを示す説明図である。
【図４】アクセス方式の適応制御の一例を示す説明図である。
【図５】一実施例に係るユーザ装置を示す部分ブロック図である。
【図６】一実施例に係る基地局装置を示す部分ブロック図である。
【図７】一実施例に係る通信制御方法を示すフロー図である。
【符号の説明】
【０１０２】
５０  セル
１００１、１００２、１００３、１００ｎ  ユーザ装置
１０２  送信データ生成部
１０４  チャネル符号化部
１０６  データ変調部
１０８  無線アクセス方式切替部
１１０  直並列変換部
１１２  DFT-Spread  OFDM処理部
１１４  離散フーリエ変換部(DFT)
１１６  サブキャリアマッピング部
１１８  波形整形フィルタ
１２０  逆高速フーリエ変換部
１２２  CP付与部
１２４  多重部
１２６  復調部
１２８  復号部
２００  基地局装置
２０２  スケジューラ
２０４  上り無線アクセス方式、リソースブロック割り当て情報信号生成部２０４
２０６  OFDM信号生成部
２０８  同期検出・チャネル推定部
２１０  CP除去部
２１２  高速フーリエ変換部
２１４  サブキャリアデマッピング部
２１６  無線アクセス方式切替部
２１８  周波数領域等化部
２２０  逆離散フーリエ変換部
２２２  チャネル等化部
２２４  並直列変換部
２２６  無線アクセス方式切替部
２２８  データ復調部
２３０  データ復号部
３００  上位局
４００  コアネットワーク
【図１】
0005080330.tif 000002
【図２】
0005080330.tif 000003
【図３】
0005080330.tif 000004
【図４】
0005080330.tif 000005
【図５】
0005080330.tif 000006
【図６】
0005080330.tif 000007
【図７】
0005080330.tif 000008